(57)【要約】    【構成】  手持ち型電子装置（１０）の電池収容部（１４）に装着部（１６）を設け、装着部は長い第１辺（１６ａ、１６ｂ）と短い第２辺（１６ｃ、１６ｄ）によって平面長方形に形成され、第１辺の対応する位置に凹部（２０ａ、２０ｂ）を形成する。この凹部（２０ａ、２０ｂ）に第１の電池ユニット（５０）の短辺を形成する第１端を嵌め合うことによって、装着部に第１の電池ユニットを装着する。第２の電池ユニット（１５０）を同じ装着部へ装着するときには、凹部は使わないで、第１辺（１６ａ、１６ｂ）および第２辺（１６ｃ、１６ｄ）内に第２の電池ユニットを装着する。    【効果】  １つの装着部に第１の電池ユニットまたは第２の電池ユニットを選択的に装着することができる。【選択図】  図１
2014102913.tif 000002
【特許請求の範囲】
【請求項１】
片手または両手で持つことができるハウジングを有し、前記ハウジングに設けられた電池収容部に電池ユニットを収容する、手持ち型電子装置であって、
前記電池収容部に設けられ、２つの第１辺と前記第１辺より短い２つの第２辺によって規定される長方形の装着部、
所定の高さおよび所定の幅を有して、前記装着部の少なくとも１つの第１辺に形成される凹部、および
前記装着部に選択的に装着可能な第１の電池ユニットまたは第２の電池ユニットを備え、
第１の電池ユニットは、前記装着部の第２辺の長さと前記凹部の高さの合計長さに応じた長さの２つの第１端と、前記第１端より短い２つの第２端を有する本体を含み、
第２の電池ユニットは、前記装着部の第２辺の長さに応じた長さの２つの第１端と、前記装着部の第１辺の長さに応じた長さの２つの第２端を有する本体を含み、
前記第１の電池ユニットは、前記凹部に前記本体の前記第２端の１つを沿わせることによって前記装着部に装着し、前記第２の電池ユニットは、前記本体の前記第１端を前記第２辺に沿わせかつ前記第２端を前記第１辺に沿わせることによって前記装着部に装着する、手持ち型電子装置。
【請求項２】
第１の電池ユニットは前記第１端が長辺を形成し、前記第２の電池ユニットは前記第２端が長辺を形成し、前記第１の電池ユニットと第２の電池ユニットとは、長辺が互いに直交する方向で、前記装着部にそれぞれ装着される、請求項１記載の手持ち電池装置。
【請求項３】
前記装着部は、前記２つの第１辺の対応する位置にそれぞれ形成される第１凹部および第２凹部を含み、前記第１の電池ユニットの前記本体の前記２つの第２端が前記第１凹部および前記第２凹部にそれぞれ受容される、請求項１または２記載の手持ち型電子装置。
【請求項４】
前記第１凹部および前記第２凹部の幅が異なる、請求項３記載の手持ち型電子装置。
【請求項５】
前記第１凹部の左右はそれぞれ角部で規定され、前記第２凹部の左右はそれぞれ角部で規定され、
前記第１凹部を規定する角部の一方と前記第２凹部を規定する角部の一方は対応する位置に形成され、前記第２凹部を規定する角部の他方は前記第１凹部を規定する角部の他方より内方の位置に形成される、請求項１ないし４のいずれかに記載の手持ち型電子装置。
【請求項６】
前記第１の電池ユニットの前記第２端には、前記角部に係合する段差部が形成される、請求項５記載の手持ち型電子装置。
【請求項７】
前記装着部を規定する辺は所定の深さを有し、前記第１の電池ユニットおよび第２の電池ユニットの本体は、前記深さに応じた厚みを有する、請求項１ないし６のいずれかに記載の手持ち型電子装置。
【請求項８】
前記第１の電池ユニットおよび前記第２の電池ユニットの各々は、電池電圧を出力するための電源線および第１の電池ユニットであるか第２の電池ユニットであるかを識別するための識別信号を出力する信号線を含む、請求項１ないし７のいずれかに記載の手持ち型電子装置。
【請求項９】
前記第２辺に切欠き部が形成され、
前記第１の電池ユニットおよび前記第２の電池ユニットの各々は、前記本体の前記切欠き部に対応する位置に形成されて前記電源線および前記信号線を導出するための突出部を含む、請求項１ないし８のいずれかに記載の手持ち型電子装置。
【請求項１０】
片手または両手で持つことができるハウジングを有し、前記ハウジングに設けられた電池収容部が２つの第１辺と前記第１辺より短い２つの第２辺によって規定される長方形の装着部、および所定の高さおよび所定の幅を有して、前記装着部の少なくとも１つの第１辺に形成される凹部を含む、手持ち型電子装置の前記装着部に装着される電池ユニットであって、
前記装着部の第２辺の長さと前記凹部の高さの合計長さに応じた長さの２つの第１端と、前記第１端より短い２つの第２端を有する本体を備え、
前記凹部に前記本体の前記第２端の１つを沿わせることによって前記装着部に装着される、電池ユニット。
【請求項１１】
前記手持ち型電子装置の前記装着部は、前記２つの第１辺の対応する位置にそれぞれ形成される第１凹部および第２凹部を含み、前記本体の前記２つの第２端が前記第１凹部および前記第２凹部にそれぞれ受容される、請求項１０記載の電池ユニット。
【請求項１２】
前記第１凹部の左右はそれぞれ角部で規定され、前記第２凹部の左右はそれぞれ角部で規定され、
前記第１凹部を規定する角部の一方と前記第２凹部を規定する角部の一方は対応する位置に形成され、前記第１凹部を規定する角部の他方は前記第２凹部を規定する角部の他方より内方の位置に形成され、
前記本体の前記第２端には、前記他方の角部に係合する段差部が形成される、請求項１１記載の電池ユニット。
【請求項１３】
前記第１凹部および前記第２凹部の一方の奥部に穴が形成されていて、
前記２つの第２端のいずれかに形成されて、前記装着部へ装着するときに前記穴に係合する突起をさらに備える、請求項１１または１２記載の電池ユニット。
【請求項１４】
電池電圧を出力するための電源線および固有の識別信号を出力する信号線、および
前記電源線および信号線を前記本体から引き出すために前記第１端の１つに形成された突出部をさらに備える、請求項１０ないし１３のいずれかに記載の電池ユニット。
【請求項１５】
片手または両手で持つことができるハウジングを有し、前記ハウジングに設けられた電池収容部が２つの第１辺と前記第１辺より短い２つの第２辺によって規定される長方形の装着部、および所定の高さおよび所定の幅を有して、前記装着部の少なくとも１つの第１辺に形成される凹部を含む、手持ち型電子装置の前記装着部に装着される電池ユニットであって、
前記装着部の第２辺の長さに応じた長さの２つの第１端と、前記装着部の第１辺の長さに応じた長さの２つの第２端を有する本体を備え、
前記本体の前記第１端を前記第１辺に沿わせかつ前記第２端を前記第２辺に沿わせることによって前記装着部に装着される、電池ユニット。
【請求項１６】
電池電圧を出力するための電源線および固有の識別信号を出力する信号線を備える、請求項１５記載の電池ユニット。
【請求項１７】
前記２本の電源線の間に、別の用途に使用される線が配置される、請求項１６記載の電池ユニット。
【請求項１８】
前記電源線および前記信号線を前記本体から引き出すために前記第２端の１つに形成され、前記第２辺に形成される切欠き部に嵌り合う、突出部をさらに備える、請求項１５ないし１７のいずれかに記載の電池ユニット。
【請求項１９】
片手または両手で持つことができるハウジングを有し、前記ハウジングに設けられた電池収容部に、２つの第１辺と前記第１辺より短い２つの第２辺によって規定される長方形の装着部、および所定の高さおよび所定の幅を有して、前記装着部の少なくとも１つの第１辺に形成される凹部を設け、
第１の電池ユニットは、前記装着部の第２辺の長さと前記凹部の高さの合計長さに応じた長さの２つの第１端と、前記第１端より短い２つの第２端を有する本体を含み、前記凹部に前記本体の前記第２端の１つを沿わせることによって前記装着部に装着される、手持ち型電子装置において、前記第１の電池ユニットに代えて前記装着部に装着される、第２の電池ユニットであって
前記装着部の第２辺の長さに応じた長さの２つの第１端と、前記装着部の第１辺の長さに応じた長さの２つの第２端を有する本体を含み、前記第２の電池ユニットは、前記本体の前記第１端を前記第１辺に沿わせかつ前記第２端を前記第２辺に沿わせることによって前記装着部に装着される、第２の電池ユニット。
【発明の詳細な説明】
【技術分野】
【０００１】
この発明は電池を用いる手持ち型電子装置および電池ユニットに関し、特にたとえば、ハウジングに設けられた電池収容部に電池ユニットを収容する、電池を用いる手持ち型電子装置および電池ユニットに関する。
【背景技術】
【０００２】
背景技術の一例が特許文献１に開示される。この特許文献１には、電池パック収納部に電池パックを収納し、その状態で電池カバーをケースに取り付けた携帯型電子機器が開示されている。
【先行技術文献】
【特許文献】
【０００３】
【特許文献１】特開２００９−３２５９５号
【発明の概要】
【発明が解決しようとする課題】
【０００４】
特許文献１に開示された電子機器では、１種類の電池パックが利用できるだけである。
【０００５】
それゆえに、この発明の主たる目的は、新規な、電池を用いる手持ち型電子装置を提供することである。
【０００６】
この発明の他の目的は、形状の異なる２種類の電池ユニットを利用可能にする、電池を用いる手持ち型電子装置を提供することである。
【０００７】
この発明のその他の目的は、形状の異なる２種類の電池ユニットを利用可能にする電池収容部に収容可能な、電池ユニットを提供することである。
【課題を解決するための手段】
【０００８】
括弧内の参照符号等は、この発明の理解を助けるために後述する実施形態との対応関係を示したものであって、この発明を何ら限定するものではない。
【０００９】
第１の発明は、片手または両手で持つことができるハウジング（１２）を有し、ハウジングに設けられた電池収容部（１４）に電池ユニットを収容する、手持ち型電子装置（１０）であって、電池収容部に設けられ、２つの第１辺（１６ａ、１６ｂ）と第１辺より短い２つの第２辺（１６ｃ、１６ｄ）によって規定される長方形の装着部（１６）、所定の高さ（ＡまたはＢ）および所定の幅（Ｗ１またはＷ２）を有して、装着部の少なくとも１つの第１辺（１６ａまたは１６ｂ）に形成される凹部（２０ａまたは２０ｂ）、および装着部に選択的に装着可能な第１の電池ユニット（５０）または第２の電池ユニット（１５０）を備え、第１の電池ユニット（５０）は、装着部の第２辺（１６ｃ、１６ｄ）の長さ（Ｌ２）と凹部（２０ａまたは２０ｂ）の高さ（ＡまたはＢ）の合計長さに応じた長さの２つの第１端（５２ａ、５２ｂ）と、第１端より短い２つの第２端を有する本体（５２）を含み、第２の電池ユニット（１５０）は、装着部の第２辺（１６ｃ、１６d）の長さ（Ｌ２）に応じた長さの２つの第１端（１５２ａ、１５２ｂ）と、装着部の第１辺（１６ａ、１６ｂ）の長さ（Ｌ１）に応じた長さの２つの第２端（１５２ｃ、１５２ｄ）を有する本体（１５２）を含み、第１の電池ユニット（５０）は、凹部（２０ａ、２０ｂ）に本体（５２）の第２端の１つを沿わせることによって装着部（１６）に装着し、第２の電池ユニット（１５０）は、本体（１５２）の第１端を第２辺（１６ｃ、１６ｄ）に沿わせかつ第２端を第１辺（１６、１６ｂ）に沿わせることによって装着部（１６）に装着する、手持ち型電子装置である。
【００１０】
第１の発明によれば、１つの装着部に形状の異なる２種類の電池ユニットを選択的に装着することができる。
【００１１】
第２の発明は、第１の発明に従属し、第１の電池ユニットは第１端が長辺を形成し、第２の電池ユニットは第２端が長辺を形成し、第１の電池ユニットと第２の電池ユニットとは、長辺が互いに直交する方向で、装着部(１６)にそれぞれ装着される、手持ち電池装置である。
【００１２】
第２の発明によれば、第１の電池ユニットまたは第２の電池ユニットを明確はっきり区別して装着部に装着できるので、装着の間違いが起こりにくい。
【００１３】
第３の発明は、第１または第２の発明に従属し、
前記装着部（１６）は、２つの第１辺（１６ａ、１６ｂ）の対応する位置にそれぞれ形成される第１凹部（２０ａ）および第２凹部（２０ｂ）を含み、第１の電池ユニット（５０）の本体（５２）の２つの第２端（５２ｃ、５２ｄ）が第１凹部（２０ａ）および第２凹部（２０ｂ）にそれぞれ受容される、請求項１または２記載の手持ち型電子装置である。
【００１４】
第３の発明によれば、第１の電池ユニットを装着したときの安定性が増す。
【００１５】
第４の発明は、第３の発明に従属し、第１凹部および第２凹部の幅が異なる、手持ち型電子装置である。
【００１６】
第４の発明によれば、どちらの凹部の幅が小さいか（大きいか）を見分けることによって、第１の電池ユニットの正しい装着方向を容易に認識できる。
【００１７】
第５の発明は、第１ないし第４のいずれかの発明に従属し、第１凹部（２０ａ）の左右はそれぞれ角部(２２ａ、２２ｂ)で規定され、第２凹部（２０ｂ）の左右はそれぞれ角部(２４ａ、２４ｂ)で規定され、第１凹部を規定する角部の一方（２２ａ）と第２凹部を規定する角部の一方(２４ａ）は対応する位置に形成され、第２凹部を規定する角部の他方（２４ｂ）は第１凹部を規定する角部の他方(２２ｂ)より内方の位置に形成される、手持ち型電子装置である。
【００１８】
第５の発明によれは、第１の電池ユニットを装着する２つの凹部の形状（位置）が違うので、第１の電池ユニットの誤装着を防止できる。
【００１９】
第６の発明は、第５の発明に従属し、第１の電池ユニット（５０）前記第２端には、前記角部に係合する段差部（５４）が形成される、手持ち型電子装置である。
【００２０】
第６の発明によれば、段差部によって位置の電池ユニットの誤装着をさらに防止できるとともに、段差部と角部との係合によって、第１の電池ユニットの装着の安定性が増す。
【００２１】
第７の発明は、第１ないし第６のいずれかの発明に従属し、装着部（１６）を規定する辺は所定の深さ（Ｄ）を有し、第１の電池ユニット（５０）および第２の電池ユニット（１５０）の本体（５２、１５２）は、深さ（Ｄ）に応じた厚み（Ｔ１、Ｔ２）を有する、手持ち型電子装置である。
【００２２】
第７の発明によれば、第１の電池ユニットおよび第２の電池ユニットのどちらを装着しても、同じ電池蓋を用いることができる。
【００２３】
第８の発明は、第１ないし第７のいずれかの発明に従属し、前記第１の電池ユニット（５０）および前記第２の電池ユニット（１５０）の各々は、電池電圧を出力するための電源線（６０ａ、６０ｃ、１６０ａ、１６０ｃ）および第１の電池ユニットであるか第２の電池ユニットであるかを識別するための識別信号を出力する信号線（６０ｄ、１６０ｄ）を含む、手持ち型電子装置である。
【００２４】
第８の発明によれば、固有の識別信号を検出することによって、第１の電池ユニットが装着されているのか第２の電池ユニットが装着されているのかを正確に判別できる。
【００２５】
第９の発明は、第１ないし第８のいずれかの発明に従属し、第２辺（１６ｄ）に切欠き部（１６ｅ）が形成され、第１の電池ユニット（５０）および第２の電池ユニット（１５０）の各々は、本体（５２、１５２）の切欠き部（１６ｅ）に対応する位置に形成されて電源線および信号線を導出するための突出部（５８、１５８）を含む、手持ち型電子装置である。
【００２６】
第９の発明によれば、突出部から導出した線を切欠き部を通して引き出すことができる。
【００２７】
第１０の発明は、片手または両手で持つことができるハウジング（１２）を有し、ハウジングに設けられた電池収容部（１４）が２つの第１辺（１６ａ、１６ｂ）と第１辺より短い２つの第２辺（１６ｃ、１６ｄ）によって規定される長方形の装着部（１６）、および所定の高さ（ＡまたはＢ）および所定の幅（Ｗ１またはＷ２）を有して、装着部の少なくとも１つの第１辺（１６ａまたは１６ｂ）に形成される凹部（２０ａまたは２０ｂ）を含む、手持ち型電子装置（１０）の装着部に装着される電池ユニット（５０）であって、装着部の第２辺（１６ｃ、１６ｄ）の長さ（Ｌ２）と凹部（２０ａまたは２０ｂ）の高さ（ＡまたはＢ）の合計長さに応じた長さの２つの第１端（５２ａ、５２ｂ）と、第１端より短い２つの第２端を有する本体（５２）を備え、凹部（２０ａ、２０ｂ）に本体（５２）の第２端の１つを沿わせることによって装着部（１６）に装着される、電池ユニットである。
【００２８】
第１１の発明は、第１０の発明に従属し、手持ち型電子装置の装着部（１６）は、２つの第１辺（１６ａ、１６ｂ）の対応する位置にそれぞれ形成される第１凹部（２０ａ）および第２凹部（２０ｂ）を含み、本体（５２）の２つの第２端（５２ｃ、５２ｄ）が第１凹部（２０ａ）および第２凹部（２０ｂ）にそれぞれ受容される、電池ユニットである。
【００２９】
第１２の発明は、第１１の発明に従属し、第１凹部（２０ａ）の左右はそれぞれ角部(２２ａ、２２ｂ)で規定され、第２凹部（２０ｂ）の左右はそれぞれ角部(２４ａ、２４ｂ)で規定され、第１凹部を規定する角部の一方（２２ａ）と第２凹部を規定する角部の一方(２４ａ）は対応する位置に形成され、第１凹部を規定する角部の他方（２２ｂ）は第２凹部を規定する角部の他方(２４ｂ)より内方の位置に形成され、本体（５２）の第２端(５２ｂ）には他方の角部（２２ｂ）に係合する段差部（５４）が形成される、電池ユニットである。
【００３０】
第１３の発明は、第１２の発明に従属し、第１凹部および第２凹部の一方の奥部に穴（２８ａ、２８ｂ）が形成されていて、２つの第２端（５２ｃ、５２ｄ）のいずれかに形成されて、装着部へ装着するときに穴に係合する突起（５６ａ、５６ｂ）をさらに備える、電池ユニットである。
【００３１】
第１４の発明は、第１０ないし第１３のいずれかの発明に従属し、電池電圧を出力するための電源線（６０ａ、６０ｃ）および固有の識別信号を出力する信号線（６０ｄ）、および電源線および信号線を本体から引き出すために第１端の１つに形成された突出部をさらに備える、電池ユニットである。
【００３２】
第１５の発明は、片手または両手で持つことができるハウジング（１２）を有し、ハウジングに設けられた電池収容部（１４）が２つの第１辺（１６ａ、１６ｂ）と第１辺より短い２つの第２辺（１６ｃ、１６ｄ）によって規定される長方形の装着部（１６）、および所定の高さ（ＡまたはＢ）および所定の幅（Ｗ１またはＷ２）を有して、装着部の少なくとも１つの第１辺（１６ａまたは１６ｂ）に形成される凹部（２０ａまたは２０ｂ）を含む、手持ち型電子装置（１０）の装着部に装着される電池ユニット（１５０）であって、装着部の第２辺（１６ｃ、１６ｄ）の長さ（Ｌ２）に応じた長さの２つの第１端（１５２ａ、１５２ｂ）と、装着部の第１辺（１６ａ、１６ｂ）の長さ（Ｌ１）に応じた長さの２つの第２端（１５２ｃ、１５２ｄ）を有する本体（１５２）を備え、本体（１５２）の第１端を第１辺（１６ａ、１６ｂ）に沿わせかつ第２端を第２辺（１６ｃ、１６ｄ）に沿わせることによって装着部（１６）に装着される、電池ユニットである。
【００３３】
第１６の発明は、第１５の発明に従属し、電池電圧を出力するための２本の電源線および固有の識別信号を出力する信号線を備える、電池ユニットである。
【００３４】
第１７の発明は、第１６の発明に従属し、２本の電源線は＋出力線および‐出力線を含み、信号線と＋出力線との間に‐出力線が配置される、電池ユニットである。
【００３５】
第１８の発明は、第１５ないし第１７のいずれかの発明に従属し、電源線および信号線を本体から引き出すために第２端の１つに形成され、第２辺（１６ｄ）に形成される切欠き部（１６ｅ）に嵌り合う、突出部（１５８）をさらに備える、電池ユニットである。
【００３６】
第１８の発明は、片手または両手で持つことができるハウジング（１２）を有し、ハウジングに設けられた電池収容部（１４）に、２つの第１辺（１６ａ、１６ｂ）と第１辺より短い２つの第２辺（１６ｃ、１６ｄ）によって規定される長方形の装着部（１６）、および所定の高さ（ＡまたはＢ）および所定の幅（Ｗ１またはＷ２）を有して、装着部の少なくとも１つの第１辺（１６ａまたは１６ｂ）に形成される凹部（２０ａまたは２０ｂ）を設け、第１の電池ユニット（５０）は、装着部の第２辺（１６ｃ、１６ｄ）の長さ（Ｌ２）と凹部（２０ａまたは２０ｂ）の高さ（ＡまたはＢ）の合計長さに応じた長さの２つの第１端（５２ａ、５２ｂ）と、第１端より短い２つの第２端を有する本体（５２）を含み、凹部（２０ａ、２０ｂ）に本体（５２）の第２端の１つを沿わせることによって装着部（１６）に装着される、手持ち型電子装置において、第１の電池ユニットに代えて装着部に装着される、第２の電池ユニットであって装着部の第２辺（１６ｃ、１６d）の長さ（Ｌ２）に応じた長さの２つの第１端（１５２ａ、１５２ｂ）と、装着部の第１辺（１６ａ、１６ｂ）の長さ（Ｌ１）に応じた長さの２つの第２端（１５２ｃ、１５２ｄ）を有する本体（１５２）を含み、第２の電池ユニット（１５０）は、本体（１５２）の第１端を第１辺（１６ａ、１６ｂ）に沿わせかつ第２端を第２辺（１６ｃ、１６ｄ）に沿わせることによって装着部（１６）に装着される、第２の電池ユニットである。
【発明の効果】
【００３７】
この発明によれば、形状の異なる２種類の電池ユニットを選択的に利用できる、手持ち型電子機装置が得られる。
【００３８】
また、この発明によれば、形状の異なる２種類の電池ユニットを選択的に利用可能にする電池収容部に収容可能な電池ユニットが得られる。
【００３９】
この発明の上述の目的，その他の目的，特徴および利点は、図面を参照して行う以下の実施形態の詳細な説明から一層明らかとなろう。
【図面の簡単な説明】
【００４０】
【図１】図１はこの発明の一実施例の電池を用いる手持ち型電子装置を示す外観図である。
【図２】図２は図１に示す実施例の電池収容部を示す平面図である。
【図３】図３は図１および図２に示す電池収容部へ収容され得る電池ユニットを例示する外観図であり、図３（ａ）および図３（ｂ）はそれぞれ異なる方向から見た斜視図である。
【図４】図４は図１および図２に示す電池収容部へ収容され得る別の電池ユニットを例示する外観図であり、図４（ａ）および図４（ｂ）はそれぞれ異なる方向から見た斜視図である。
【図５】図５は電池ユニットの線とそれの先端に取り付けられているコネクタを示す斜視図である。
【図６】図６は装着部に図３に示す電池ユニットを装着した状態を示す平面図である。
【図７】図７は装着部に図４に示す電池ユニットを装着した他の状態を示す平面図である。
【図８】図８は装着部に図３に示す電池ユニットを逆向きに装着しようとしたときの状態を示す図解図である。
【発明を実施するための形態】
【００４１】
以下、図面を参照して、本発明の一実施形態に係る、電池を用いる手持ち型電子装置（以下、単に「電子装置」ということもある。）１０について説明する。図１に示す電子装置１０は、ハウジング１２を有し、このハウジング１２は、人間の片手または両手で持つことができる大きさを有する。
【００４２】
ハウジング１２の裏面には、電池収容部１４が形成され、ハウジング１２の内部には、図示しないが、この電池収容部１４に収容された電池（図１では図示せず）からの電力の供給を受けて動作する電気回路やコンポーネントが設けられている。場合によっては、ハウジング１２の表面には、電池によって駆動され、その電気回路やコンポーネントからの出力を表示するディスプレイなどが設けられてもよい。
【００４３】
電池収容部１４には、電池ユニット５０および１５０（図３および図５：後述）を装着するための有底のボックス形状を有する装着部１６が形成される。装着部１６は、図２からよくわかるように全体として横長の長方形の平面形状を有し、かつ厚みを有する電池ユニットを受容可能な所定の深さＤ（図１）を有する。装着部１６は、この実施例では、上下の比較的長い第１辺１６ａおよび１６ｂと左右の比較的短い第２辺１６ｃおよび１６ｄで規定され、右側の第２辺１６ｄの一部が切り欠かれていて、その切欠き部１６ｅを通して、装着部１６と線収容部１８とが連通する。なお、切欠き部１６ｅの下端には角部１９が形成される。
【００４４】
装着部１６の上下の第１辺１６ａおよび１６ｂの各々の長さがＬ１であり、左右の第２辺１６ｃおよび１６ｄの各々の長さがＬ２である。
【００４５】
特に図２からよくわかるように、装着部１６の上側の長さＬ１の第１辺１６ａには幅がＷ１でかつ高さがＡの第１凹部２０ａが形成され、装着部１６の下側の長さＬ１の第１辺１６ｂには幅がＷ２でかつ高さがＢの第２凹部２０ｂが形成される。第１凹部２０ａの両端は左右の角部２２ａおよび２２ｂで規定され、第２凹部２０ｂの両端は左右の角部２４ａおよび２４ｂで規定される。なお、この実施例では、第１凹部２０ａの幅Ｗ１は第２凹部２０ｂの幅Ｗ２より大きい（Ｗ１＞Ｗ２）が、第１凹部２０ａと第２凹部２０ｂの左端は同じ位置に設定されている。つまり、第１凹部２０ａが第２凹部２０ｂより幅広であり、第１凹部２０ａの幅Ｗ１の中心と、第２凹部２０ｂの幅Ｗ２の中心とは左右方向においてずれていて、前者が後者に比べて若干右に存在する。つまり、第１凹部２０ａの左右はそれぞれ角部２２ａおよび２２ｂで規定され、第２凹部２０ｂの左右はそれぞれ角部２４ａおよび２４ｂで規定され、第１凹部２０ａを規定する一方の角部２２ａと第２凹部２０ｂを規定する一方の角部２４ａは対応する位置（つまり、縦方向に並んだ位置）に形成され、第２凹部２０ｂを規定する他方の角部２４ｂは第１凹部２０ａを規定する他方の角部２２ｂより内方の位置に形成される、
凹部２０ａの幅Ｗ１と凹部２０ｂの幅Ｗ２を違えることによって、後述の第１の電池ユニット５０の装着時に間違いが防止できる。つまり、どちらの幅が小さいかを見分けることによって、正しい装着方向を容易に認識でき、さらに第１の電池ユニット５０を間違って装着しようとしても入らないので、逆差しを防止できる。
【００４６】
図１に示すように、第１凹部２０ａの高さを規定する奥壁２６の両端には２つの穴２８ａおよび２８ｂが形成される。この穴２８ａおよび２８ｂは、後述の電池ユニット５０の一辺に突出して設けられた突起５６ａおよび５６ｂ（図３）を受け入れるためのものである。そして、穴２８ａおよび２８ｂより内方の奥壁２６には、たとえば発泡樹脂などの弾性体からなるスペーサ３０がたとえば貼付によって設けられる。
【００４７】
ハウジング１２の裏面の電池収容部１４において、装着部１６の上辺すなわち第１辺１６ａより上方には、電池蓋３２の爪３２ａ、３２ｂおよび３２ｃを挿入するための穴３４ａ、３４ｂおよび３４ｃが形成され、さらに装着部１６の下辺すなわち第１辺１６ｂの第２凹部２０ｂの外方には、電池蓋３２をねじ止めするための穴３６が形成される。ただし、このねじは実施例ではタッピングねじであるため、穴３６には雌ねじは形成されていないが、形成されていてもよい。
【００４８】
切欠き１６ｅを通して装着部１６と連通する線収容部１８には、上部に、前述の電気回路のための回路基板３８が露出し、この回路基板３８を挟んで両側にガイド面４０が形成される。
【００４９】
ガイド面４０の奥部すなわち線収容部１８の上端には、雌型コネクタ４２が設けられる。この雌型コネクタ４２は、上記電気回路の所要部分に電気的に接続されている複数（実施例では４つ）の接続端子４４を内包する。このような雌型コネクタ４２が回路基板３８にはんだ付けされて固定される。
【００５０】
図１および図２に示す電池収容部１４に収容する２種類の電池ユニット５０および１５０がそれぞれ図３および図４に示される。
【００５１】
図３に示す電池ユニット５０は、長辺（第１辺）を形成する第１端５２ａおよび５２ｂと短辺（第２辺）を形成する第２端５２ｃおよび５２ｄとを有する、縦長の本体５２を含み、この本体５２の中に、いずれも図示しないが、たとえばリチウムイオン電池のような充電可能電池、温度検出素子（たとえばサーミスタ）および制御回路が内蔵される。本体５２の第１端５２ａおよび５２ｂの長さをＢＬ１とし、上側の第２端５２ｃの長さをＢＬ２１とし、下側の第２端５２ｄの長さをＢＬ２２とする。また、本体５２の厚みはＴ１である。ここで、この厚みＴ１は、図１に示す装着部１６の深さＤに応じて設定されている。たとえば、厚みＴ１は深さＤと等しいかそれよりやや小さく（Ｔ１≦Ｄ）設定されている。
【００５２】
本体５２の右側の第１端５２ｂと下側の第２端５２ｄの交わる右下角には段差部５４が形成される。この段差部５４は先に説明した装着部１６の第１１６ｂに形成された第２凹部２０ｂの右角部２４ｂと係合する形状を有する。つまり、段差部５４では、右側の第１端５２ｂの下端から距離ｂｂに亘って、下側の第２端５２ｄの長さＢＬ２２が上側の第２端５２ｃの長さＢＬ２１より短くされている（ＢＬ２１＞ＢＬ２２）。この距離ｂｂが図２に示す装着部１６の第１辺１６ｂに形成されている第２凹部２０ｂの高さＢと同じかそれよりやや短く設定されている(ｂｂ≦Ｂ）。
【００５３】
さらに、上記本体５２の上側の第２端５２ｃの長さＢＬ２１は装着部１６を規定する上側の第１辺１６ａに形成されている第１凹部２０ａの幅Ｗ１に応じた長さに設定される。具体的には、長さＢＬ２１は幅Ｗ１と略同じ、すなわち等しいかそれよりややより短く（ＢＬ２１≦Ｗ１）設定されている。本体５２の下側の第２端５２ｄの長さＢＬ２２は装着部１６を規定する下側の第１辺１６ｂに形成されている第２凹部２０ｂの幅Ｗ２に応じた長さに設定される。具体的には、長さＢＬ２２は幅Ｗ２と略同じ、すなわち等しいかそれよりやや短く（ＢＬ２２≦Ｗ２）設定されている。凹部２０ａの幅Ｗ１と凹部２０ｂの幅Ｗ２の差が、上側の第２端５２ｃの長さＢＬ２１と下側の第２端５２ｄの長さＢＬ２２との差に相当する。
【００５４】
他方、本体５２の第１辺の長さＢＬ１は、装着部１６を規定する左右の第２辺１６ｃおよび１６ｄの長さすなわち装着部１６の短辺の長さＬ２より長い（ＢＬ１＞Ｌ２）が、この長さＬ２と第１凹部２０ａの高さＡおよび第２凹部２０ｂの高さＢとの合計（Ｌ２＋Ａ＋Ｂ）に応じた長さ（たとえば、合計と同等かそれよりやや短い長さ）に設定されている（ＢＬ１≦（Ｌ２＋Ａ＋Ｂ））。
【００５５】
つまり、電池ユニット５０の本体５２は、上側の第２端５２ｃおよび下側の第２端５２ｄをそれぞれ装着部１６の第１凹部２０ａおよび第２凹部２０ｂに嵌め合うことによって、図６に示すように、縦長方向に、装着部１６に装着することができる。
【００５６】
本体５２の上第２辺の左右両端に、上方に突出する２つの突起５６ａおよび５６ｂが形成される。この突起５６ａおよび５６ｂが先に説明した、装着部１６の上の第１辺１６ａの第１凹部２０ａに形成された２つの穴２８ａおよび２８ｂに係合する。
【００５７】
本体５２の右の第１辺の下部には右方へ突出する突出部５８が形成され、この突出部５８を通して実施例では４本の線６０ａ、６０ｂ、６０ｃおよび６０ｄが導出される。４本の線の内、線６０ａがたとえば赤色の電源線であり、電池電圧の（＋）を出力し、線６０ｂがたとえば灰色の線であり、先に説明した温度検出素子の出力信号を出力し、線６０ｃがたとえば黒色の電源線であり、電池電圧の（−）を出力し、線６０ｄがたとえば白色の線であり、電池ユニットの識別信号（後述）を出力する。
【００５８】
ただし、別の線配列、たとえば、線６０ａが白色の線で識別信号を出力し、線６０ｂが黒色の電源線で電池電圧の（−）を出力し、線６０ｃが灰色の線で温度検出素子の出力信号を出力し、線６０ｄが赤色の電源線で電池電圧の（＋）を出力するような配列が採用されてもよい。
【００５９】
また、白色の識別信号線と灰色の温度検出出力線の位置は入れ替えられてもよい。いずれの場合も、一方の電源線（赤色の＋出力線）識別信号線との間に他方の電源線(黒色の‐出力線）線が介在することになる。
【００６０】
線６０ａ‐６０ｄの先端には雄型コネクタ６２が取り付けられる。雄型コネクタ６２は４つの接続端子６４を含む。接続端子６４の各々は、雌型コネクタ４２のブレード型端子４４を両側から挟むことによってこの端子４４と電気的かつ機械的に接続される。つまり、雄型コネクタ６２をガイド面４０に沿って押し、雌型コネクタ４２内に挿入すると、各端子６４が対応する端子４４を挟み、それによって端子６４が端子４４に接続される。
【００６１】
ここで、図５を参照して、雄型コネクタ６２について説明する。雄型コネクタ６２の上面には間隔を隔てて立ち上がる２つの立ち上がり片６６および６８が形成され、立ち上がり片６６および６８の間に凹部７０が形成される。この凹部７０に指先を入れて、指先を雄型コネクタ６２を引き抜く方向（矢印方向：実施例では下方向）へ動かすことによって、雄型コネクタ６２を雌型コネクタ４２から取り外すことができる。このとき、指先は立ち上がり片６８の内面６８ａに当たる。したがって、立ち上がり片６８が、雄型コネクタ６２を引き抜くときの把手として機能する。
【００６２】
また、雄型コネクタ６２を雌型コネクタ４２に接続するためには、立ち上がり片６８の外面６８ｂを矢印と反対方向へ指で押せばよい。
【００６３】
なお、立ち上がり片６６を把手として機能させることも可能である。この場合には、立ち上がり片６６を指で摘んだ状態で矢印方向へ移動させればよい。
【００６４】
図４に示す電池ユニット１５０は、短辺を形成する左側および右側の第１端１５２aおよび１５２ｂと長辺を形成する上側および下側の第２端１５２ｃおよび１５２ｄとを含む、横長の本体１５２を含み、この本体１５２の中に、いずれも図示しないが、たとえばリチウムイオン電池のような充電可能電池、温度検出素子（たとえばサーミスタ）および制御回路が内蔵される。本体１５２の第２端１５２ｃおよび１５２ｄの長さをＢＬ３とし、第１端１５２ａおよび１５２ｂの長さをＢＬ４とする。また、本体１５２の厚みはＴ２である。ここで、この厚みＴ２は、図１に示す装着部１６の深さＤに応じて設定されている。たとえば、厚みＴ２は深さＤと等しいかそれよりやや小さく（Ｔ２≦Ｄ）設定されている。また、この電池ユニット１５０の本体１５２の厚みＴ２は、先の電池ユニット５０の本体５２の厚みＴ１と等しいかほぼ等しく設定されている。したがって、後述のように、装着部１６に電池ユニット５０または１５０のどちらが装着されても、電池蓋を換える必要はなく、同じ電池蓋３２（図１）を用いて収納できる。
【００６５】
さらに、上記本体１５２の第２端１５２ｃおよび１５２ｄの長さＢＬ３は、装着部１６を規定する上下の第１辺１６ａおよび１６ｂの長さＬ１、すなわち装着部１６の第１辺（長辺）の長さＬ１に応じた長さに設定される。具体的には、長さＢＬ３は長さＬ１と等しいかそれよりやや短く設定されている（ＢＬ３≦Ｌ１）。本体１５２の第１端１５２ａおよび１５２ｂの長さＢＬ４は、装着部１６を規定する左右の第２辺１６ｃおよび１６ｄの長さＬ２、すなわち装着部１６の第２辺（短辺）の長さＬ２に応じた長さに設定される。具体的には、長さＢＬ４は長さＬ２と等しいかそれよりやや短く設定されている（ＢＬ４≦Ｌ２）。したがって、電池ユニット１５０の本体１５２は、それぞれの第２端１５２ｃおよび１５２ｄおよび第１端１５２ａおよび１５２ｂを装着部１６の長辺（第１辺１６ａおよび１６ｂ）および短辺（第２辺１６ｃおよび１６ｄ）にそれぞれ合わせることによって、図７に示すように横長方向に、装着部１６に装着することができる。
【００６６】
なお、この実施例においては、図４図示の大きいサイズの電池ユニット１５０の第２端１５２ｃおよび１５２ｄの長さＢＬ３は、図３図示の小さいサイズの電池ユニット５０の第１端５２ａおよび５２ｂの長さＢＬ１より長いことは勿論である。
【００６７】
本体１５２の右の第２端１５２ｂの下部には右方へ突出する突出部１５８が形成され、この突出部１５８を通して実施例では４本の線１６０ａ、１６０ｂ、１６０ｃおよび１６０ｄが導出される。突出部１５８の下に段差部１５４が形成される。
【００６８】
４本の線の内、線１６０ａがたとえば赤色の線であり、電池電圧の（＋）を出力し、線１６０ｂがたとえば灰色の線であり、先に説明した温度検出素子の出力信号を出力し、線１６０ｃがたとえば黒色の線であり、電池電圧の（−）を出力し、線１６０ｄがたとえば白色の線であり、電池ユニットの識別信号（後述）を出力する。ただし、この線配列も第１の電池ユニット５０のものと同様に、別の線配列に代えられてもよい。
【００６９】
線１６０ａ‐１６０ｄの先端には雄型コネクタ１６２が取り付けられる。雄型コネクタ１６２は４つの接続端子１６４を含む。接続端子１６４の各々は、雌型コネクタ４０のブレード型端子４２を両側から挟むことによってこの端子４２と電気的かつ機械的に接続される。つまり、雄型コネクタ１６２をガイド面４０に沿って押し、雌型コネクタ４０内に挿入すると、各端子１６４が対応する端子４２を挟み、それによって端子１６４が端子４２に接続される。
【００７０】
ここで、図３の電池ユニット５０の線６０ｄおよび図５の電池ユニット１５０の線１６０ｄは識別信号出力線であり、この識別信号出力線について説明する。
【００７１】
この実施例は、上で説明したように、１つの電池収容部１４すなわち装着部１６に対して、たとえば図３の電池ユニット５０と図５の電池ユニット１５０のように、サイズおよび／または形状が異なる２種類の電池ユニットを装着できるように構成している。実施例では、電池ユニット５０に比べて電池ユニット１５０が大きいので、電池容量においても、電池ユニット５０と電池ユニット１５０は異なる。
【００７２】
他方、実施例の電子装置１０では、電池残量が少なくなれば電池ユニットを充電しなければならない。充電は当該電池ユニットの電池特性（充電特性）において最適に制御されなければならず、上述のように電池容量が異なる電池ユニットにおいては当然電池特性が異なる。したがって、充電制御を担当する電子装置１０内のコンピュータ（図示せず）は、現在装着されている電池ユニットが、電池ユニット５０なのか電池ユニット１５０なのかを正確に知る必要がある。
【００７３】
そこで、電池ユニット５０においても、電池ユニット１５０においても、一番下の線６０ｄまたは１６０ｄから、サイズおよび／または形状の異なる２種類の電池ユニットを識別するために、すなわち、第１の電池ユニットであるか第２の電池ユニットであるかを識別するために、各電池ユニットに固有の識別信号を出力するようにしている。このような固有の識別信号を検出することによって、電子装置１０のコンピュータ（図示せず）は、第１の電池ユニットが装着されているのか第２の電池ユニットが装着されているのかを正確に判別できる。
【００７４】
識別信号は、実施例では、電池ユニット内の制御回路（図示せず）に抵抗器回路を形成しておき、電池ユニット５０および電池ユニット１５０がそれぞれ固有の抵抗値（電流値または電圧値）を線６０ｄおよび線１６０ｄから出力する。そして、上記コンピュータはこの抵抗値（電流値または電圧値）に基づいて電池ユニット５０または１５０を識別する。
【００７５】
なお、電池ユニット５０または電池ユニット１５０を識別するだけであれば、２つの異なる抵抗値（電流値または電圧値）が識別信号線６０ｄおよび１６０ｄから出力されるだけでよい。しかしながら、たとえば異なる２以上の製造業者が電池ユニット５０を製造している場合や、異なる２以上の製造業者が電池ユニット１５０を製造している場合などでは、製造業者も併せて識別できるようにしなければならない。なぜなら、同じ電池容量の電池ユニットであっても、製造業者毎に上述の電池特性（充電特性）が異なるので、正しく充電するためには、製造業者および電池容量の両方を正確に識別する必要がある。製造業者と電池容量とを識別する場合、識別信号となる抵抗値（電流値または電圧値）をより細かく分類する必要がある。たとえば、電池ユニット５０および１５０をそれぞれ２つの製造業者が製造する場合、信号線６０ｄおよび１６０ｄから出力される抵抗値（電流値または電圧値）が少なくとも４段階に識別できなければならない。
【００７６】
このような固有の識別信号を検出することによって、電子装置１０のコンピュータ（図示せず）は、第１の電池ユニットまたは第２の電池ユニットのどちらが装着されているのかだけでなく、どの製造業者が製造した第１の電池ユニットなのか、どの製造業者が製造した第２の電池ユニットなのかも正確に判別できる。
【００７７】
図６を参照して、電池ユニット５０の本体５２の上側の第２端５２ｃが下（図６の紙面方向において奥）になり下側の第２端５２ｄが上（図６の紙面方向において手前）になるように本体５２をやや傾けることによって、上側の第２端５２ｃに形成されている突起５６ａおよび５６ｂをそれぞれ対応する穴２８ａおよび２８ｂに挿入し、次いで、上下の第２端５２ｃおよび５２ｄを装着部１６の第１凹部２０ａおよび第２凹部２０ｂにそれぞれ嵌合することによって、電池ユニット５０を電池収容部１４の装着部１６に装着することができる。このとき、突起５６ａおよび５６ｂが２８ａおよび２８ｂに挿入されているとともに、本体５２の右下の段差部５４が第２凹部２０ｂを規定する角部２４ｂと係合されているので、本体５２の左右方向の変位または移動が抑制される。
【００７８】
また、スペーサ３０が本体５２の上側の第２端５２ｃの端面に当たることによって、つまり、第１凹部２０ａの奥辺２６（図１および図２）と第２端５２ｃの端面との間にスペーサ３０が介在しかつスペーサ３０が弾性体であることから、本体５２の上下方向の変位または移動が抑制される。
【００７９】
なお、本体５２から導出される線６０は、コネクタ６２および４２（図１）を介して、回路基板３８上に設けられた電子回路やコンポーネント（図示せず）に適宜電気的に接続される。このとき、雄型コネクタ６２は、線６０を１回捻った状態で、つまり、雄型コネクタ６２の立ち上がり片６６および６８が上になるように、雌型コネクタ４２に接続される。
【００８０】
図７を参照して、電池ユニット１５０の本体１５２の第１端１５２ａおよび１５２ｂを装着部１６の短辺に、第２端１５２ｃおよび１５２ｄを装着部１４の長辺にそれぞれ合わせてそのまま本体１５２を押し込むことによって、電池ユニット１５０を電池収容部１４の装着部１６に装着することができる。このとき、本体１５２の右下の段差部１５４が切欠き部１６ｅの下端を規定する角部１９と係合されているので、本体１５２の左右方向の変位または移動が抑制される。ただし、本体１５２の上下方向への変位または移動は、装着部１６を規定する上下の第１辺１６ａおよび１６ｂによって抑制される。さらに、線１６０を本体１５２から導出するための突出部１５８が図７に示すように、切欠き部１６ｅに嵌り合うので、本体１５２の上下方向の変位または移動がさらに抑制できる。
【００８１】
なお、本体１５２から導出される線１６０は、コネクタ１６２および４２（図１）を介して、回路基板３８上に設けられた電子回路やコンポーネント（図示せず）に適宜電気的に接続される。
【００８２】
また、図６に示すように、電池ユニット５０を装着部１６に装着する場合、突出部５８が右側にして装着されるが、左右を逆に装着しようとすると、図８に示すように、電池ユニット５０の本体５２の第２端５２ｄは第２凹部２０ｂ内に収まるが、第２端５２ｃは左側において第１凹部２０ａからはみ出る。これは先に説明したように、第１凹部２０ａの中心と第２凹部２０ｂの中心がずれているからである。このように、本体５２の上側の第２端５２ｃが第１凹部２０ａからはみ出るので、突起５６ａおよび５６ｂが穴２８ａおよび２８ｂには挿入できない。このようにして、電池ユニット５０が正しく装着部１６に装着されるのが保証される。
【００８３】
なお、上述の実施例では、電池ユニット５０（１５０）内に温度検出素子を内蔵し、線６０ｂ（１６０ｂ）から温度検出信号を取り出すようにした。しかしながら、温度検出素子を電池ユニットの外に設けた場合、この線６０ｂ（１６０ｂ）はなくてもよい。
【００８４】
また、小サイズの電池ユニット５０を装着部１６に縦長方向に装着するために、本体５２の上側および下側の第２端５２ｃおよび５２ｄを受け入れるように装着部１６に上下に第１凹部２０ａおよび２０ｂを形成し、第１凹部２０ａおよび２０ｂの高さＡおよびＢを装着部１６の短辺長さＬ２に加えた長さ（Ｌ２＋Ａ＋Ｂ）に収納可能な長さである本体５２の第１辺長さＢＬ１を受け入れるようにした。つまり、上下に凹部を形成することによって、横長の装着部１６に電池ユニット５０の本体５２を縦長方向に装着できるようにした。凹部はどちらか一方だけでもよいが、その場合は、その１つの凹部の高さをＣとすると、ＢＬ１≦（Ｌ２＋Ｃ）となるように設定する必要がある。
【００８５】
ただし、実施例のように２つの凹部２０ａおよび２０ｂに第１の電池ユニット５０の本体５２の第２端をそれぞれ嵌合させた方が、第１の電池ユニット５０を装着部へ装着したときの安定性が増す。
【００８６】
さらに、上述の実施例では第１の電池ユニット５０の本体５２において、段差部５４を形成しているが、この段差部はなくてもよい。その場合、本体５２の上側の第２端５２ｃと下側の第２端５２ｄの長さは同じになる。したがって、装着部１６の第１凹部２０ａの幅Ｗ１と第２凹部２０ｂの幅Ｗ２を同じにしてもよい。
【００８７】
上述の実施例では、凹部２０ａの奥部に穴２８ａおよび２８ｂを形成し、第１の電池ユニット５０の本体５２の第２端５２ｃに突起５６ａおよび５６ｂを形成し、装着時にそれらが係合するようにした。しかしながら、凹部２０ｂ奥部に穴２８ａおよび２８ｂを形成し、第１の電池ユニット５０の本体５２の第２端５２ｄに突起５６ａおよび５６ｂを形成し、装着時にそれらが係合するようにしてもよい。
【００８８】
ただし、この突起５６ａおよび５６ｂはなくてもいいし、１つだけ設けられてもよい。
【符号の説明】
【００８９】
１０  …電子装置
１２  …ハウジング
１４  …電池収容部
１６  …装着部
１６ａ、１６ｂ、１６ｃ、１６ｄ  …装着部辺
１８  …線収容部
２０ａ、２０ｂ  …凹部
１９、２２ａ、２２ｂ、２４ａ、２４ｂ  …角部
２６  …奥壁
２８ａ、２８ｂ  …穴
３０  …スペーサ
４２  …雌型コネクタ
５０、１５０  …電池ユニット
５２、１５２  …本体
５２ａ、５２ｂ、１５２ａ、１５２ｂ  …第１端
５２ｃ、５２ｄ、１５２ｃ、１５２ｄ  …第２端
５４、１５４  …段差部
６０、６０ａ‐６０ｄ、１６０、１６０ａ‐１６０ｄ  …線
６２、１６２  …雄型コネクタ
【図１】
2014102913.tif 000003
【図２】
2014102913.tif 000004
【図３】
2014102913.tif 000005
【図４】
2014102913.tif 000006
【図５】
2014102913.tif 000007
【図６】
2014102913.tif 000008
【図７】
2014102913.tif 000009
【図８】
2014102913.tif 000010